(57)【特許請求の範囲】
【請求項１】
転写具ケース内に基材テープに塗膜をコーティングされた塗膜テープを巻いたテープ繰出し回転部と、基材テープ巻取り回転部が回転可能に収納され、前記塗膜テープが転写へッドを経由して被転写面に転写される塗膜と転写済の基材テープとに分かれ、基材テープが基材テープ巻取り回転部に巻き取られる塗膜転写具において、転写具ケースに設けられる２箇所の前記回転部に備えられたコア組み付け部を同一の形状とし、繰出しコアと巻き取りコアのどちらでも組み込みができるようにし、かつ、次に示す（ア）と（イ）の特徴を有する多品種兼用塗膜転写具。
（ア）塗膜テープが修正テープの場合には、繰出しコアに修正テープを巻いたパンケーキは、転写ヘッドより遠い位置に配置し、巻き取りコアは転写ヘッドに近い位置に配置する。
（イ）塗膜テープが糊テープの場合には、繰出しコアに糊テープを巻いたパンケーキは、転写ヘッドに近い位置に配置し、巻き取りコアは転写ヘッドより遠い位置に配置する。
【発明の詳細な説明】
【技術分野】
【０００１】
本発明は、基材テープの表面にコーティングされた修正用塗膜、接着用粘着剤、装飾用塗膜等を被転写面に転写するための塗膜転写具の技術分野に関する。さらに、塗膜が異なっても、同一の転写具ケースを使用できる多品種兼用塗膜転写具に関する。
【背景技術】
【０００２】
特許文献１には、同一の本体ケース、本体カバーを用いて、接着用粘着剤の塗膜転写テープ（以下、糊テープ）と修正塗膜転写テープ（以下、修正テープ）の交換カセットを兼用できる転写具ケースが記載されている。（図１、図２）この公報では、糊テープ繰出しパンケーキを転写ヘッドに近い側に配置され、巻き取り側のコアを転写ヘッドより遠い側に配置されている。
【０００３】
糊テープの場合は、繰出し側パンケーキを転写ヘッドに近い方に配置して、転写後の基材テープを繰出し側パンケーキの外周部に接触させ、転写後の基材テープの背面とパンケーキ外周の糊面との摩擦力を利用して転写後の基材テープが安定走行できるように補助して、基材テープの巻き取り不良がないようにしている。
【０００４】
ところが、修正テープの場合、この配置にすると転写後の基材テープ背面とパンケーキ外周の塗膜面との摩擦係数が低いために、基材テープがパンケーキ外周部から外れる可能性が高くなる。修正テープでは、幅が狭い４ｍｍ以下の製品がありその場合、顕著に走行不良が発生する。その対策として通常、図４のように繰出し側を転写ヘッドより遠い位置に、巻き出し側を転写ヘッドに近い側に配置するよう設計されている。
【０００５】
この位置関係が修正テープと糊テープでは逆になっているので、修正テープでは、修正テープ用の専用の転写具ケースが設計され、糊テープでは、糊テープ用の専用の転写具ケースが設計されることになる。そのため、修正テープと糊テープでは、同一の転写具ケースを兼用で使用することができないものとなっていた。
【０００６】
【特許文献１】特許第３７７８６４３号公報
【発明の開示】
【発明が解決しようとする課題】
【０００７】
同一の転写具ケースを使って、修正テープと糊テープを収納することができる転写具ケースを提供するものである。
【０００８】
本発明における転写具ケースとは、繰出しコアと巻き取りコアとを連動させて駆動が丸ベルト方式の場合は、本体ケース、本体カバー、繰出しコア（プーリが一体品）、巻き取りコア（プーリが一体品）、丸ベルトを指す。プーリがコアと別体のものであれば、繰出しプーリ、巻き取りプーリも含むものである。
【０００９】
駆動がギヤ式の場合は、丸ベルト、プーリがない代わりにギヤを使用するものであるが、この場合の転写具ケースとは、本体ケース、本体カバー、繰出しコア（ギヤ付き）、巻き取りコア（ギヤ付き）を指す。ギヤがコアと別体のものであれば、繰出しギヤ、巻き取りギヤも含むものである。
【００１０】
交換式カセットの場合は、さらに交換カセット（交換ケース、交換カバー）も転写具ケースに含むものである。つまり、転写ヘッド、塗膜テープ以外の部品一式を転写具ケースと呼ぶ。
【００１１】
本明細書では、主に修正テープと糊テープの２品種の兼用塗膜転写具を説明するが、塗膜が装飾用塗膜等であっても、兼用できるものである。つまり２品種以上の塗膜テープを兼用できるものである。
【課題を解決するための手段】
【００１２】
転写具ケース内に基材テープに塗膜をコーティングされた塗膜テープを巻いたテープ繰出し回転部と、基材テープ巻取り回転部が回転可能に収納され、前記塗膜テープが転写へッドを経由して被転写面に転写される塗膜と転写済の基材テープとに分かれ、基材テープが基材テープ巻取り回転部に巻き取られる塗膜転写具において、転写具ケースに設けられる２箇所の前記回転部に備えられたコア組み付け部を、繰出しコアと巻き取りコアのどちらでも組み込みができるようにした多品種兼用塗膜転写具とする。更に多品種兼用塗膜転写具において、塗膜テープ、転写ヘッド以外の部品が１種類である多品種兼用塗膜転写具とする。
【発明の効果】
【００１３】
修正テープ、糊テープ、装飾用テープ等を同一の転写具ケースを使用できるので、多種類の塗膜転写具を製造する場合、転写具ケースの金型代が安くなる。成型品の種類が少なくてすみ生産効率が上がり、結果として製造コストを下げることができる。
【発明を実施するための最良の形態】
【００１４】
本発明の実施の形態の一例を挙げる。図３は、修正テープの塗膜転写具の外観図である。図３のＢ−Ｂ断面図を模式図として図４に示す。繰出しコアに修正テープを巻いたパンケーキ１０２は、転写ヘッド１０６より遠い位置に配置されている。巻き取りコア１０４は、転写ヘッド１０６に近い位置に配置されている。繰出しコアと巻き取りコアには、プーリが一体成形されており、両プーリに丸ベルト１０９が架けられている。被転写体に転写ヘッドを押さえつけて、図４において下右方向へ塗膜転写具をなぞることにより、修正塗膜が転写されると同時に、丸ベルトを介して巻き取りコアが回転して転写後の基材テープを巻き取ることができる。
【００１５】
模式図の図５は、図４と同じ転写具ケースを使って、糊テープを組み込んだ図３におけるＢ−Ｂ断面図である。図５においては、図４の繰出し軸１０７が巻き取り軸１０８となり、図４の巻き取り軸１０８が繰出し軸１０７となる。繰出しコア、巻き取りコア、丸ベルトは、図４と同じものを使用している。繰出しコアに巻かれた糊テープは、図５の繰出し軸１０７に組みつけられる。巻き取りコアは、巻き取り軸１０８に組みつけられる。転写ヘッド１１１は、糊テープ用のローラタイプの転写ヘッドが組みつけられる。
【００１６】
図６は図３におけるＡ−Ａ断面図を表す。繰出しコア１０３、巻き取りコア１０４は、プーリと一体成型されたものである。繰出し軸１０７、巻き取り軸１０８は、同一形状である。
【００１７】
図７は、修正テープで交換式カセットを使用した場合の、図３におけるＡ−Ａ断面図である。交換ケース１２０、交換カバー１２１内には、繰出しコア１２２に修正テープ１０２が巻かれたパンケーキと巻き取りコア１２３、転写ヘッド１０６が組みつけられている。本体ケース１２７には、繰出し軸１０７と巻き取り軸１０８が一体成形されている。繰出し軸には、繰出しプーリ１２４が組み付けられている。巻き取り軸には、巻き取りプーリ１２５が組みつけられている。繰出しプーリと巻き取りプーリには、丸ベルトが架けられている。
【００１８】
図７において、交換式糊テープを組み込む場合は、転写ヘッドを糊テープ用のものに交換する。糊テープのパンケーキは、交換カセット内の１０８の軸側にセットして、巻き取りコアは、１０７の軸側にセットし、繰出しプーリは本体ケースの１０８の軸側にセットして、巻取りプーリは１０７の軸側にセットすることにより使用可能となる。
【００１９】
図８は、本願発明の他の実施例である交換式カセット型の修正テープの塗膜転写具の外観図である。図９は、図８におけるＣ−Ｃ断面図である。図１０は、図８のコアとリブの間の回転支持構造を描いた内部構造図である。図１０において、繰出しコア１２４は、４本のリブ１３７’によって回転支持されている。１３７’の矢印の先端は、コアとリブとの接点を指している。同様に巻き取りコア１２５は、４本のリブ１３８’によって回転支持されている。１３８’の矢印の先端は、コアとリブとの接点を指している。リブは、転写具ケースの本体ケースと本体カバーの両方に設けられている。繰出しコアと巻き取りコアの形状は、同じ形状になっているので、このカセットに糊テープを図１０中の左側に繰出しコアをセットし、右側に巻き取りコアをセットして、転写ヘッドを糊テープ用のヘッドに交換することにより糊テープの塗膜転写具とすることができる。
【００２０】
以上の説明は、所謂縦引き式の塗膜転写具における説明であるが、本発明は、横引き式塗膜転写具であっても実施可能なものである。
【図面の簡単な説明】
【００２１】
【図１】従来の糊テープが組み込まれた交換式塗膜転写具。本体ケース、本体カバー、転写ヘッド（Ｐ点を軸に回転可能）が修正テープと兼用できる。
【図２】従来の修正テープが組み込まれた交換式塗膜転写具。本体ケース、本体カバー、転写ヘッド（Ｐ点を軸に回転可能）が糊テープと兼用できる。
【図３】修正テープの塗膜転写具の外観図
【図４】図３のＢ−Ｂ断面の模式図
【図５】糊テープを組み込んだ場合の、図３におけるＢ−Ｂ断面の模式図
【図６】図３におけるＡ−Ａ断面図を表す。
【図７】修正テープの交換式カセットを使用した場合の、図３におけるＡ−Ａ断面図
【図８】交換式カセットの修正テープの塗膜転写具の外観図
【図９】図８におけるＣ−Ｃ断面図
【図１０】図８のコアとリブの間の回転支持構造を描いた内部構造図
【符号の説明】
【００２２】
１０１：本体ケース
１０２：パンケーキ
１０３：繰出しコア
１０４：巻取りコア
１０５：修正テープ
１０６：修正テープ用の転写ヘッド
１０７：繰出し軸
１０８：巻取り軸
１０９：丸ベルト
１１０：糊テープ
１１１：糊テープ用の転写ヘッド
１１２：本体カバー
１２０：交換ケース
１２１：交換カバー
１２２：交換式カセットの場合の繰出しコア
１２３：交換式カセットの場合の巻取りコア
１２４：繰出しプーリ
１２５：巻取りプーリ
１２６：交換式カセットを収納する本体カバー
１２７：交換式カセットを収納する本体ケース
１３７’：繰出し側のリブ
１３８’：巻取り側のリブ
【図１】
0005285965.tif 000002
【図２】
0005285965.tif 000003
【図３】
0005285965.tif 000004
【図４】
0005285965.tif 000005
【図５】
0005285965.tif 000006
【図６】
0005285965.tif 000007
【図７】
0005285965.tif 000008
【図８】
0005285965.tif 000009
【図９】
0005285965.tif 000010
【図１０】
0005285965.tif 000011